(57)【要約】【課題】  正しいスイングプレーン、スイング中のクラブフェースの向き、スイング中のアームローテーション、手首の正しい可動方向、さらに身体と腕、そしてゴルフクラブとのコーディネートがスイング中にどのようになっているかを擬似体験できるゴルフ練習装置を提供する。【解決手段】  練習者の胸部への固定部１と、該固定部１に後端部６が揺動自在に連結された伸縮杆５と、該伸縮杆５の先端部８に該伸縮杆８と直線状態を保持して且つ折曲げを可能とする連結具９を介して連結されるゴルフクラブ１０とからなり、好ましくは、前記ゴルフクラブ１０が前記連結具９に対して着脱自在に構成されてなるゴルフ練習装置。【選択図】図１
2010284390.tif 000002
【特許請求の範囲】
【請求項１】
練習者の胸部への固定部と、該固定部に後端部が揺動自在に連結された伸縮杆と、該伸縮杆の先端部に該伸縮杆と直線状態を保持し且つ折曲げを可能とする連結具を介して連結されるゴルフクラブと、からなることを特徴とするゴルフ練習機。
【請求項２】
前記ゴルフクラブを前記連結具に対して着脱自在に構成したことを特徴とする請求項１に記載のゴルフ練習機。
【発明の詳細な説明】
【技術分野】
【０００１】
本発明は、正しいスイングプレーン、スイング中のクラブフェースの向き、スイング中のアームローテーション、手首の正しい可動方向（コッキング）、さらに身体と腕、そしてクラブとのコーディネートがスイング中にどのようになっているかを擬似体験できるゴルフ練習装置に関する。
【背景技術】
【０００２】
従来、正しいスイングプレーン等を習得するためのゴルフ練習装置として、スイングガイド部材に沿ってゴルフクラブ（以下単に「クラブ」という。）を振る装置が提案されている。
【０００３】
例えば、スイング軌道ガイド環状体がバックスイング時には揺動しないようにフォロースイング時には揺動可能にかつ揺動したときには設定位置に復帰可能に基枠体に設けた支持部材の上部回動部材及び下部基枠部に設けた下部回動部材に取り付けられてなるゴルフスイング練習装置（特開平７−８５８７号公報）、ほぼ螺旋状のスイングパターン形状に形成されたガイドレールと、前記ガイドレールを傾斜状態に保持する支持機構と、前記ガイドレールに沿って移動可能なスライド部材と、前記スライド部材にシャフト軸中心に回動自在に係止されたクラブとを備えたゴルフ練習機（特開２００１−１６１８７９号公報）等が提案されている。
【先行技術文献】
【特許文献】
【０００４】
【特許文献１】特開平７−８５８７号公報
【特許文献２】特開２００１−１６１８７９号公報
【発明の概要】
【発明が解決しようとする課題】
【０００５】
前記従来の練習装置において、クラブは正しいスイングプレーンを描くことになるが、練習者の身体はフリーの状態にあり、身体と腕、そしてクラブとの正しいコーディネートを体験できない、という問題を有する。
【０００６】
本発明は、練習者の身体に取り付けて使用することにより、悪い方向へスイングが規制され、前記身体と腕、そしてゴルフクラブとの正しいコーディネートを擬似体験できるゴルフ練習装置を提供することを目的とする。
【０００７】
また、従来の練習装置のように練習場所が特定されることがなく、スイング可能な広さがあれば場所を問わず練習を行うことができ、さらに練習場所が許せば実際にボールを打ちながらの練習が可能であるゴルフ練習装置を提供することを目的とする。その他、コンパクトで取り扱いの容易で安価に練習装置を提供することを目的とする。
【課題を解決するための手段】
【０００８】
前記目的を達成するため、本発明のゴルフ練習装置は、練習者の胸部への固定部と、該固定部の中央に後端部が揺動自在に連結された伸縮杆と、該伸縮杆の先端部に該伸縮杆と直線状態を保持し且つ折曲げを可能とする連結具を介して連結されるクラブと、からなることを特徴とする（請求項１）。
【０００９】
前記構成によれば、前記伸縮杆は練習者の体形、さらにスイング動作に応じて伸縮する。また、前記クラブは前記伸縮杆と直線状態を保持し且つ折曲げを可能にする連結具を介して設けられる。なお、ここで、直線状態の保持とは、前記伸縮杆に対してクラブが折曲げられた場合であっても該クラブと前記伸縮杆が直線方向にあることを言う。
【００１０】
前記のごとく、本発明では、クラブが伸縮杆と直線状態を保持し且つ折曲げ可能とする連結具を介して連結されているため、アドレスの状態及びその後のスイング動作中は前記伸縮杆の横方向を含む悪い方向への悪い動きが規制される。
【００１１】
換言すれば、本発明の練習装置は、身体と腕、そしてクラブが正しくコーディネートした時にだけストレートボールが打てるように設計されている。
【００１２】
したがって、正しいスイングプレーン、スイング中のクラブフェースの向き、スイング中のアームローテーション、正しいコッキング、さらに身体と腕、そしてゴルフクラブのコーディネートがスイング中にどのようになっているかを擬似体験することができる。
【００１３】
本発明の実施の一形態は、前記クラブを前記伸縮杆側に対して着脱自在に構成したことを特徴とする（請求項２）。この構成によれば、前記連結具を介してウッド、アイアンの各種のクラブを連結して疑似体験することができる。
【発明の効果】
【００１４】
本発明によれば、正しいスイングプレーン、スイング中のクラブフェースの向き、スイング中のアームローテーション、正しいコッキング、さらに身体と腕、そしてゴルフクラブのコーディネートがスイング中にどのようになっているかを擬似体験することができる。したがって、スイングの悪癖を解消してゴルフ上達に役立つ効果が得られる。その他、コンパクトで取り扱いが容易であり、練習場所が特定されることがないため自宅の庭等における練習も可能である。
【図面の簡単な説明】
【００１５】
【図１】本発明の実施の一形態に係るゴルフ練習装置の全体斜視図である。
【図２】ゴルフクラブ連結部の拡大斜視図である。
【図３】他の実施の一形態を示すクラブ連結部の拡大斜視図である。
【図４】本発明のゴルフ練習装置を身体に付けたアドレスの状態を示す正面方向から見た斜視図である。
【図５】本発明のゴルフ練習装置を身体に付けたアドレスの状態を側面方向から見た斜視図である。
【図６】本発明のゴルフ練習装置を身体に付けたバックスイングの状態を示す斜視図である。
【図７】本発明のゴルフ練習装置を身体に付けたフィニッシュの状態を示す斜視図である。
【発明を実施するための形態】
【００１６】
以下、添付図面を参照して、本発明の実施の一形態について説明する。
【００１７】
本発明のゴルフ練習装置は、練習者の身体に取り付けて使用される。まず、練習者の胸部への固定部１が準備される。該固定部１は、図面実施の一形態では、練習者の胸部に固定した場合にスイングの邪魔にならない大きさの縦幅と横幅を有するプラスチック等からなる板体２とその背面部に設けられたクッション材３により構成されている。
【００１８】
さらに、前記固定部１の両端部にそれぞれバンド４，４が挿通され、該バンド４，４の両端部をそれぞれ練習者の肩部及び脇部を通して練習者の背部に導き、練習者の身体に合わせて前記バンド４，４の長さを調整して前記固定部１を練習者の胸部に完全固定できるように構成されている。
【００１９】
つぎに、前記固定部１の前面中央には、伸縮杆５の後端部６が揺動自在に連結される。該連結部７は前記伸縮杆５の後端部６が上下左右を含む全方向に揺動自在となるように構成されている。なお、前記伸縮杆５を構成している太杆５ａ及び細杆５ｂは互いに伸縮は自在であるがその間での回動は規制されている。
【００２０】
つぎに、前記伸縮杆５の先端部８に、該伸縮杆５と直線状態を保持し且つ折曲げを可能とする連結具９を介してクラブ１０が連結される。すなわち、前記伸縮杆５に対して前記クラブ１０を折曲げた場合にもそれぞれ直線方向が保持されるように前記連結具９を介してクラブ１０が設けられる。
【００２１】
図面実施の一形態では、前記連結具９は、金属からなる二枚のプレート１１，１１が用いられ、該二枚のプレート１１，１１のそれぞれ後端部１１ａ，１１ａが前記伸縮杆５の先端部８の両側に位置させられてピン１２により前記伸縮杆５に取り付けられ、前記二枚のプレート１１，１１のそれぞれ先端部１１ｂ，１１ｂが前記クラブ１０の後端部、具体的には、グリップ部１３の両側に位置させられてピン１４により取り付けられている。なお、前記クラブ１０はいわゆるスクエアの状態を保って連結される。
【００２２】
なお、前記伸縮杆５と前記連結具９との間のピン１２による連結部及び前記連結具９と前記クラブ１０のグリップ部１３との間のピン１４による連結部は、それぞれきつく連結することなく図２に示すように若干の遊びを持たせて連結される。
【００２３】
前記構成では、前記連結具９によって連結されたクラブ１０の動きは、前記プレート１１，１１と同方向への折曲げ可能とされ、前記伸縮杆５との直線状態を保持し、前記クラブ１０は前記伸縮杆５に対して回動方向への動きを規制されている。
【００２４】
図３は、前記クラブ１０を前記連結具９に対して着脱自在とした例である。すなわち、前記プレート１１，１１の先端部１１ｂ，１１ｂにクラブ１０のグリップ部１３の後端部をきつく受入れる嵌合部１５をピン１４により設けたものである。
【００２５】
なお、前記嵌合部１５に前記フクラブ１０のグリップ部１３の後端部を嵌合させた場合には該クラブ１０のグリップ部が完全に固定され回動することがないように構成される。もっとも、前記クラブ１０の完全固定のために必要に応じてその他の着脱自在の連結固定装置が設けられる。
【００２６】
つぎに、本発明に係る練習装置による実際の練習状態を説明する。図４及び図５は、アドレスの状態である。このアドレス状態では、前記伸縮杆５と前記クラブ１０は一直線の状態にある。すなわち、前記連結具９によって前記クラブ１０は前記伸縮杆５の横方向へは折曲げることができず上下方向のみ折曲げが可能である。
【００２７】
図６は、バックスイングの状態である。このバックスイングの状態では、前記伸縮杆５と前記クラブ１０は前記連結具９部で折曲げられた状態にあるが互いに直線状態が保持されている。すなわち、前記連結具９によって前記クラブ１０を下に向けたり、必要以上に上に向けたりすることが規制されて正しいコッキングが行われている。さらに、ダウンスイングも前記伸縮杆５と前記クラブ１０によって形成された直線方向に沿って行われることになる。
【００２８】
図７は、フィニッシュの状態である。このフィニッシュの状態では、前記バックスイングの状態と同様に、前記伸縮杆５と前記クラブ１０が前記連結具９部で折曲げられた状態にあるが互いに直線上体が保持されている。
【００２９】
前記のごとく、本発明の練習装置によれば、アドレスからフィニッシュまでのスイングプレーンが正しく行われ、スイング中のクラブフェースの向き及びアームローテーション、コッキング、さらに身体と腕、そしてクラブとのコーディネートがどのようになっているかを疑似体験することができるものである。
【産業上の利用可能性】
【００３０】
本発明は、従来の大規模な練習装置と異なり練習場所が特定されることもなく、さらにコンパクトで取り扱いも容易であり、理論及び実践的な練習効果が柿人され、産業上の利用可能性は大きいものがある。
【符号の説明】
【００３１】
１    固定部
５    伸縮杆
９    連結具
１０  ゴルフクラブ
【図１】
2010284390.tif 000003
【図２】
2010284390.tif 000004
【図３】
2010284390.tif 000005
【図４】
2010284390.tif 000006
【図５】
2010284390.tif 000007
【図６】
2010284390.tif 000008
【図７】
2010284390.tif 000009